(57)【要約】  本発明は、開放旋回可能な蓋を備えるシガレット包装箱若しくはシガリロボックスを密接に収容するために適した内室を有する容器（１７）であって、容器内に組み込まれた旋回軸を中心として旋回可能な蓋部分（１９）を備えており、蓋部分がシガレット包装箱若しくはシガリロボックスの蓋に適合されており、さらに蓋部分の開放旋回を助成するためのばね部材（２３）及び、蓋部分のための解除可能な係止部材（２１）を備えている形式のものに関する。容器の蓋部分内側に少なくとも１つの連行部（２０）を配置してあり、連行部が蓋部分（１９）の開放に際してシガレット包装箱若しくはシガリロボックスの蓋を強制的に一緒に旋回させるようになっている。さらにばね部材（２３）が運動を減速されている。
2005510224.tif 000002
【特許請求の範囲】
【請求項１】
開放旋回可能な蓋を備えるシガレット包装箱若しくはシガリロボックスを密接に収容するために適した内室を有する容器であって、容器内に組み込まれた旋回軸を中心として旋回可能な蓋部分を備えており、蓋部分がシガレット包装箱若しくはシガリロボックスの蓋に適合されており、さらに蓋部分の開放旋回を助成するためのばね部材及び、蓋部分のための解除可能な係止部材を備えている形式のものにおいて、容器の蓋部分内側に少なくとも１つの連行部（１５，２０）を配置してあり、連行部が蓋部分（１４，１９）の開放に際してシガレット包装箱若しくはシガリロボックスの蓋を強制的に一緒に旋回させるようになっており、ばね部材（２３）が運動を減速されていることを特徴とする、シガレット包装箱若しくはシガリロボックスのための容器。
【請求項２】
連行部（１５，２０）がアンダーカット部であり、アンダーカット部の溝内にシガレット包装箱若しくはシガリロボックスの蓋の下側縁部が入り込み可能であり、若しくは連行部が、蓋部分（１４，１９）に刺し込まれたピン、蓋の外面に摩擦接触する付着面、若しくはばねである請求項１記載の容器。
【請求項３】
容器の旋回軸（１８）が、ばね部材としてのトーションロッド若しくはコイルばねを備えたヒンジによって形成されている請求項１又は２記載の容器。
【請求項４】
容器の旋回軸と、シガレット包装箱若しくはシガリロボックスの本体と蓋との間の枢着線とが共通の１つの線上に位置し、若しくは互いに隣接して位置している請求項１から３のいずれか１項記載の容器。
【請求項５】
蓋部分及び／又は容器ボディー部分の高さ若しくは奥行きが、収容すべき包装箱若しくはボックスの高さ若しくは奥行きよりも大きくなっており、これによって包装箱若しくはボックスが蓋部分の開放に際してわずかに滑り運動若しくは傾倒運動でき、該滑り運動若しくは傾倒運動によって、容器の旋回軸及び包装箱若しくはボックスの枢着線の位置の相互のずれに起因した旋回運動のロックが防止されるようになっている請求項１から４のいずれか１項記載の容器。
【請求項６】
ばね部材（２３）が運動を減速されている請求項１から５のいずれか１項記載の容器。
【請求項７】
ばね部材として運動を減速された行程ピストンを設けてあり、行程ピストンが蓋部分の内面と容器ボディー部分の内面とに係合しており、若しくはばね部材が弾性的に変形可能なプラスチック材料、有利には減衰部材としてのシリコンから成る材料内に埋め込まれている請求項１から６のいずれか１項記載の容器。
【請求項８】
係止部材が、容器前面の有利にはほぼ中央軸線の領域に配置されていて係止解可能な係合接続部若しくはスナップ接続部によって形成されている請求項１から７のいずれか１項記載の容器。
【請求項９】
係合接続部若しくはスナップ接続部が、蓋部分に設けられていて隆起部を備えた舌片（２１）を有しており、舌片の隆起部が係止状態で、容器ボディー部分の前側に設けられた凹設部（２２）内に係合している請求項８記載の容器。
【請求項１０】
内室が、ばね弾性的に支承された少なくとも１つ、有利には２つの平面によって画成されていて、該平面の押圧に抗してシガレット包装箱若しくはシガリロボックスの大きさに適合可能である請求項１から９のいずれか１項記載の容器。
【請求項１１】
蓋部分（１９）及び容器ボディー部分（１７）が射出成形品として形成されている請求項１から１０のいずれか１項記載の容器。
【請求項１２】
容器の表面が炭素繊維を有している請求項１から１１のいずれか１項記載の容器。
【発明の詳細な説明】
【技術分野】
【０００１】
本発明は、開放旋回可能な蓋を備えるシガレット包装箱若しくはシガリロボックスをほぼ密接に収容するために適した内室を有する容器であって、容器は容器内に組み込まれた旋回軸を中心として旋回可能な蓋部分を備えており、蓋部分がシガレット包装箱若しくはシガリロボックスの蓋に適合されており、さらに容器は、蓋部分の開放旋回を助成するためのばね部材及び、蓋部分のための解除可能な係止部材を備えている形式のものに関する。
【０００２】
タバコ若しくはシガレットは一般的に、厚紙から成形された旋回開き蓋付き包装箱内に収納されており、該包装箱はボディー部分と該ボディー部分の背壁に旋回可能に結合された蓋から成っている。このような旋回開き蓋付き包装箱の例は、例えばドイツ連邦共和国特許出願公開第４３４２５２３Ａ１号明細書若しくはドイツ連邦共和国特許出願公開第１９８１４２５５Ａ１号明細書に記載してある。この場合には、蓋は狭幅側に設けられており、従って蓋を旋回開きした後にシガレットは吸い口を露出されて、長手方向に引き抜かれる。
【０００３】
シガリロケース若しくはシガリロボックスは、幅の狭い４つの側壁を有する底部分と蓋部分とから成っており、蓋部分は１つの側壁に取り付けられている。蓋部分を上方旋回させると、横たわっているシガリロ若しくは小型葉巻きタバコは全長にわたって露出することになる。
【０００４】
シガレット包装箱もシガリロボックスも所期の目的でまたコストの理由から簡単に形成されている。このようなシガレット包装箱若しくはシガリロボックスはタバコ自動販売機内で良好に積み重ねられるものの、欠点として安く見え、押し潰されやすく、また汚れやすく不体裁である。製造者の広告ロゴやその他の包装印刷は美観を損ねるものである。
【０００５】
金属ボディーから成っていて表面に装飾や印刻等を有するシガレットケース若しくはシガリロケースもある。このようなケース（容器）においては欠点として、シガレット若しくはシガリロを詰め替えねばならず、このことは喫煙者にとってめんどうである。さらにこの種のケースの収容容積は、製造元包装箱内に入っているシガレット若しくはシガリロの本数に相当しないものもある。包装箱内に残ったシガレット若しくはシガリロは付加的な荷物として持ち運ばれねばならない。
【０００６】
シガレット用レザーサックも公知であり、該シガレット用レザーサックはシガレット包装箱を収容するためのものであり、上側に舌状部を有しており、舌状部を開くことによってシガレット包装箱の蓋が露出するようになっている。このようなサックにおいては欠点として、シガレットを取り出す動作が煩雑であり、それというのは舌状部を開き、次いでシガレット包装箱の蓋を開かねばならないからである。さらにシガレット包装箱の形状は一様ではなく、従ってこの種のサックは特定のシガレット包装箱形状のものにしか使用できない。
【０００７】
米国特許第２８９７９５８号明細書は、シガレット包装箱の収容のための容器を開示しており、該容器は容器背壁に枢着された蓋部分を有している。さらに背壁の内側に板ばね２４を取り付けてあり、板ばねは容器背壁に取り付けられたピンとの結合を保証しており、これによって蓋部分は閉鎖位置で板ばね２４の戻し力で保持される。蓋部分を開くためには、ばね力が克服されねばならない。
【０００８】
さらに、蓋部分の前面側にフックを設けてあり、フックはシガレット包装箱の蓋を押圧していて、容器蓋部分の開放旋回時に包装箱の蓋を連行案内するようになっている。このようなフックにおいては欠点として、シガレット包装箱の蓋の前壁がフックによって強く押し込まれ、その結果、シガレットが損傷され、少なくともへこまされることになる。シガレット包装箱がシガレットで完全に満たされている場合には、蓋の開放旋回はシガレット包装箱の蓋の内側への湾曲変形によって困難になる。
【０００９】
米国特許第２９５４８６７号明細書は詰め替えボックスを開示するものであり、該詰め替えボックスは分離した２つの部分から成っている。第１の部分は上側に向かって開いた直方体によって形成されており、第２の部分は蓋部分であり、蓋部分の背壁の下側縁部に、ほぼ全幅にわたって延びる舌状部をフレキシブルに枢着結合してある。第１の部分内へのシガレット包装箱の挿入の後に、舌状部が第１の部分、即ち直方体の内面とシガレット包装箱の壁との間に差し込まれる。蓋部分の開放の際にシガレット包装箱の蓋を一緒に案内するために、蓋部分の前側の内面がゴム状の表面被覆を有している。このような詰め替えボックス若しくは詰め替えケースにおいては欠点として、シガレット包装箱の挿入の際にも蓋部分の開放の際にも煩雑な動作を必要とする。
【００１０】
フランス国特許第９５０５１７号明細書は前側の開放可能な詰め替えパックを開示するものであり、該詰め替えパックの蓋はばね６を介して自動的に開放旋回可能であり、閉鎖のために必要な舌状部は押しボタンの操作によって内側へ旋回させられている。このようなケースにおいては欠点として、ばね力の高い場合には詰め替えパックの蓋部分は制動されることなく下方へ急速に旋回して閉じ、シガレットを傷つけることになり、またシガレット包装箱の蓋を連行するものでもない。これとは逆に弱いばねを用いた場合には、詰め替えパックの蓋部分は途中で止まってしまい、その結果、手動の操作が必要である。
【００１１】
本発明の課題は、冒頭に述べた形式の容器を改良して、該容器の操作若しくは取り扱いを容易にし、かつシガレット包装箱を損傷させることのない確実な機能を達成することである。
【００１２】
前記課題が請求項１に記載の構成の容器によって解決される。本発明に基づき、容器は蓋部分内側に少なくとも１つの連行部を有しており、該連行部は蓋部分の開放に際してシガレット包装箱若しくはシガリロボックスの蓋を強制的に一緒に旋回させるようになっている。このような容器においては利点として、蓋部分の係止部の係止解除によって連行部がシガレット包装箱若しくはシガリロボックスの蓋を強制的に連行する。本発明に基づく容器の内室は、量販のシガレット包装箱若しくはシガリロボックスの形状に適合されている。長い若しくは幅広いシガレット包装箱若しくはシガリロボックスも収容でき、それというのは包装箱の蓋のための連行部は容器内で包装箱の位置を確実に固定できるからである。もっぱら容器の奥行き、即ち背壁と前壁との間の間隔だけを、収容すべき包装箱の奥行きとほぼ同じ寸法に選ぶとよく、これによって容器の蓋部分のヒンジと包装箱の蓋とボディーとの間の折り目線とが互いに接近して位置し、有利には共通の１つの線上に位置する。本発明に基づく容器はシガレット包装箱若しくはシガリロボックスを次のように装填され、即ち、シガレット包装箱若しくはシガリロボックスはラップフィルムを除去して若しくは封緘を切ってから容器内に挿入され、次いで蓋部分が閉じられる。この場合に、蓋部分に設けられた連行部はシガレット包装箱若しくはシガリロボックスの蓋に係合し、該蓋は容器の蓋部分の開放に際して強制的に開放旋回させられる。このような手段によって、本発明に基づく容器の片手操作が可能である。
【００１３】
有利には、連行部としてアンダーカット部を設けてあり、アンダーカット部の溝内にシガレット包装箱若しくはシガリロボックスの蓋の下側縁部が入り込み可能である。別の実施態様では連行部として単数若しくは複数のピンを用いるようになっており、ピンは蓋部分に刺し込まれている。連行部は付着面から成っており、付着面は容器の蓋部分の前壁とシガレット包装箱若しくはシガリロボックスの蓋の外面との間の十分な摩擦接触を保証する。連行部はばねから成っていてよく、該ばねは容器の蓋部分の閉鎖旋回に際してシガレット包装箱の蓋の前面に沿って滑動してシガレット包装箱の蓋の下側の縁部面に係合するようになっている。
【００１４】
容器の旋回軸は、ばね部材としてのトーションロッド若しくはコイルばねを備えたヒンジによって形成されている。すでに述べてあるように、容器の旋回軸と、シガレット包装箱若しくはシガリロボックスの本体と蓋との間の枢着線とが共通の１つの線上に位置し、若しくは互いにできるだけ接近して位置している。蓋部分及び／又は容器ボディー部分の高さ若しくは奥行きは、別の部分に対応して次のように選ばれており、即ち、包装箱は蓋部分の開放に際してわずかに滑り運動若しくは傾倒運動でき、該滑り運動若しくは傾倒運動によって、容器の旋回軸及び包装箱若しくはボックスの枢着線の位置の相互のずれに起因した旋回運動のロックが防止されるようになっている。有利には、特にシガリロボックスにおいて、容器の蓋部分の開放のためのばね部材は運動を制動若しくは減速されている。
【００１５】
運動制動部材若しくは運動減衰部材としてばね部材を用いる場合には、弾性的に変形可能なプラスチック材料、有利には減衰部材としてのシリコンから成る材料を設けてあり、該プラスチック材料内にばね部材が埋め込まれているか、運動の減速された行程ピストンを用いるようになっており、該行程ピストンは蓋部分の内面と容器ボディー部分の内面とに係合している。
【００１６】
係止部材として有利には、係止と係止解除の繰り返し可能な係合接続部若しくはスナップ接続部を用いるようになっており、該係合接続部若しくはスナップ接続部は本発明の実施態様では容器前面のほぼ長手方向軸線の領域に配置されている。係合接続部若しくはスナップ接続部は本発明の具体的な構成では、蓋部分に設けられていて隆起部を備えた舌片によって形成されており、該舌片の隆起部は係止状態で、容器ボディー部分の前側に設けられた凹設部内に係合するようになっている。
【００１７】
容器内室は、空間画定部としての、ばね弾性的に支承された少なくとも１つ、有利には２つの平面を有しており、該平面はばね圧力下にあるので、包装箱の外面に接触している。このようにばね弾性的に支承された平面は、本発明に基づく容器を異なる大きさの包装箱のために使用することを可能にする。
【００１８】
容器の蓋部分及びボディー部分は安定的な任意の材料、例えば鋼、特殊鋼、若しくは軽金属（例えば、アルミニウム）から成っていてよく、この場合に表面は銀めっきされ、若しくはニッケルめっきされ、若しくは白金めっきされ、若しくは彫刻を施されていてよい。成形並びに表面構造に関連して特に有利には、容器はプラスチック射出成形品から成っており、この場合有利には容器の表面は炭素繊維を有していてよく、炭素繊維は装飾効果をもたらす。射出成形プラスチックは、経済的な容器製造及び多様な色彩を可能にし、その結果、人目を惹く色の容器を得ることもできる。表面には繊維のほかに、顔料若しくは反射性の粒子も埋め込まれてよい。
【００１９】
前述の手段によって、取り扱いやすくかつ視覚的に好感のもてる容器を形成することができ、該容器は製造元のシガレット若しくはシガリロのパッケージよりも高い圧力安定性を有している。
【００２０】
本発明の実施例を図面に示してある。図面において、
図１はシガリロ・容器を蓋部分の開かれた状態で示す斜視図であり、
図２は蓋部分の詳細図であり、
図３はシガレット包装箱の収容のための容器の斜視図であり、
図４はシガレット包装箱の収容のための容器の断面図である。
【００２１】
図１には、ボディー１１及び蓋１２を備えた市販のシガリロボックス（シガリロの箱[cigarillobox]）を示してあり、シガリロボックスは本発明に基づく容器内に挿入されており、この場合に容器自体はボディー部分１３とこれに枢着された蓋部分１４とから成っている。低い高さで成形された垂直な４つの側壁を備えたボディー部分は、シガリロボックスをぴったりと収容するために、即ち嵌合式に収容するために役立っており、同様に本発明に基づく容器の蓋部分１４の側壁は、蓋部分内にシガリロボックスの蓋１２を嵌合式に挿入できるように形成されている。蓋部分の開放に際してシガリロボックスの蓋を確実に連行する、即ち一緒に確実に開くために、蓋部分１４は複数の張り出した縁部区分１５を有しており、該縁部区分はそれぞれ上側の端縁部の右側と左側とに設けられていて、アンダーカット部を形成している。
【００２２】
ボディー部分と蓋部分との間の枢着結合部に、ばね部材から成るトーションロッドを配置してあり、トーションロッドは緩衝材料としてのシリコンから成る弾性変形可能なプラスチック材料内に埋め込まれている。トーションロッドはボタン１６を介して操作されるようになっており、ボタンはボディー部分１３の両側に配置されている。本発明に基づく容器の閉じられた状態では、ボタン１６の押圧操作によってロックが解除され、その結果、締め付けられていたばね部材、即ちトーションロッドが弛緩して蓋部分の旋回運動が生ぜしめられる。両方のボタン１６への押圧は片手の２つの指で同時に行われ、その結果、本発明に基づく容器の保持及び開放並びに、シガリロボックス内に収納されたシガリロの提供のための手渡しが片手で可能である。有利には、シガリロボックス及び本発明に基づく容器の回転軸若しくは旋回軸は１つの平面内に位置している。
【００２３】
本発明に基づく容器内への装填は、シガリロボックス１１，１２を開封の後にボディー部分１３内にはめ込み、次いで蓋部分１４を下方旋回させて容器を閉じることによって行われる。この場合に、蓋部分１４はシガリロボックスをボディー部分内へ押し込み、蓋部分の側壁に張り出すように設けられてアンダーカット部を形成する前側の縁部１５は、両側でシガリロボックスの側壁縁部に係合する。蓋部分１４の縁部１５はシガリロボックスのボディー部分の側壁縁部にも係合する。ボタン１６の操作によって本発明に基づく容器を開放する場合に、蓋部分１４は少なくとも９０°、有利には１３５°にわたって開放旋回し、その際にシガリロボックスの蓋１２は蓋部分１４の縁部１５によって連行される。開放旋回運動は、ばねを制動していない場合のように急激に生じるのではなく、減衰若しくは減速して行われる。シガリロボックスと本発明に基づく容器との間の相対運動の際の運動ロックは、シガリロボックス及び本発明に基づく容器の両方のヒンジが互いに隣接して位置していて、かつシガリロボックスがボディー部分１３と蓋部分１４との間の結合ヒンジの領域でわずかにそれも容易に変形して蓋部分１４の開放旋回運動に追従することによって避けられる。前述の縁部１５の代わりに、ばね、シャフト内へ刺し込まれたピン若しくは付着面を設けることも可能であり、ばね、ピン若しくは付着面はシガリロボックスの対応する側壁をボディー部分及び蓋部分内で固定する。本発明に基づく容器はボディー部分及び蓋部分内の受容面に関連して、シガリロボックスをほぼぴったりと、即ち密接に受容するように形成されており、この場合に並進運動に対するわずかな自由度を設けてよく、このような自由度は本発明に基づく容器内でのシガリロボックスの補償滑り運動を可能にするものであり、その結果、蓋部分の開放に際しシガリロボックスと本発明に基づく容器との異なる旋回軸に起因した運動ロックが避けられる。本発明に基づく容器は有利には、高級で著しく軽くかつ安定的な材料、例えば極めて薄い鋼、特殊鋼、軽金属、若しくは繊維強化プラスチックから成っている。繊維強化プラスチックの炭素繊維は、視覚的に相当な装飾作用を呈する。容器を射出成形品として製造する場合には、ヒンジは有利には、別個の運動可能な部分のない一体ヒンジとして形成されている。プラスチック・射出成形品の場合には、金属性の装飾部材、例えばロゴやその他の飾りを射出成形時に一緒に埋め込むこともできる。
【００２４】
図３に示す容器は、市販のシガレット包装箱の収容のために形成されている。容器１７は底部並びに前側、後ろ側、左側及び右側に配置された側壁を有しており、この場合、前側の側壁と後ろ側の側壁とが互いに異なる高さであり、該両方の側壁を結合する側壁は、シガレット包装箱において知られているように斜めに切られていてよい。背壁（後ろ側の側壁）の上側縁部に継ぎ手１８を介して蓋部分１９を取り付けてあり、該蓋部分は大きさ及び形状を市販のシガレット包装箱の蓋部分に適合させて、シガレット包装箱の蓋部分をほぼぴったりと受容するように形成されている。シガレット包装箱の蓋部分のための連行部分としてここでも張り出した縁部２０を設けてあり、該縁部はアンダーカット部として、容器の蓋部分１９の開放旋回に際してシガレット包装箱の蓋部分の下側縁部に係合して連行する。容器の蓋部分の前側縁部にフック２１を一体成形してあり、該フックは対応する切欠き２２によって形成された適当なアンダーカット部に係合するようになっており、即ち、フックと切欠き２２とは係止係合部を形成している。図示の実施例では容器１７並びに蓋部分１９はわずかに変形可能なプラスチックから成形されており、従って前側の側壁の軽い押圧によってフック２１と切欠き２２との間の係止が解除される。継ぎ手１８はばね２３によって形成されており、ばねは旋回軸としても機能するものであり、ばねの初期応力に基づき係止手段２１，２２の係止解除の後に蓋部分１９の開放旋回を生ぜしめる。
【００２５】
容器１７及び蓋部分１９の高さ、幅及び奥行きは有利には、収容すべきシガレット包装箱にぴったりと適合させてあるものの、容器１７の高さ及び蓋部分１９の高さはシガレット包装箱の全高さよりも大きくてよく、それというのは蓋部分１９内へのシガレット包装箱の蓋をはめ込んだ後に、シガレット包装箱とその蓋との間の旋回軸と容器１７と蓋部分１９との間の旋回軸とは互いに同じ高さに位置していて、縁部２０が蓋部分１９の閉鎖の際にもシガレット包装箱の落ち込みを防止するからである。両方の縁部２０がシガレット包装箱の蓋の縁部に係合することを保証しているかぎりにおいて、容器１７及び蓋部分１９の幅もシガレット包装箱の幅よりも大きくてよい。
【００２６】
容器の使用に際して、シガレット包装箱は製造元シールを切って若しくはラップフィルムを取り除いて容器１７内に挿入され、次いでシガレット包装箱の蓋が蓋部分１９内にはめ込まれて、シガレット包装箱の蓋の下側縁部が蓋部分１９の縁部２０によって保持される。係止手段２１，２２の係止解除によって、蓋部分１９は図３に示してあるように、後ろ側へ旋回させられ、その際にシガレット包装箱の蓋は一緒に連行される。
【００２７】
材料としてはシガリロボックスの収容のための容器と同じものが使用されてよい。
【図面の簡単な説明】
【００２８】
【図１】シガリロボックス用の容器の、蓋部分の開かれた状態での斜視図
【図２】蓋部分の拡大部分図
【図３】シガレット包装箱の収容のための容器の斜視図
【図４】シガレット包装箱の収容のための容器の断面図
【符号の説明】
【００２９】
１１  底部、  １２  蓋、  １３  ボディー部分、  １４  蓋部分、  １５  縁部区分、  １７  容器、  １８  継ぎ手、  １９  蓋部分、  ２０  縁部、  ２１  フック、  ２２  切欠き、  ２３  ばね
【図１】
2005510224.tif 000003
【図２】
2005510224.tif 000004
【図３】
2005510224.tif 000005
【図４】
2005510224.tif 000006
【手続補正書】
【提出日】平成15年3月18日(2003.3.18)
【手続補正１】
【補正対象書類名】特許請求の範囲
【補正対象項目名】請求項１
【補正方法】変更
【補正の内容】
【請求項１】
開放旋回可能な蓋を備えるシガレット包装箱若しくはシガリロボックスを密接に収容するために適した内室を有する容器であって、容器内に組み込まれた旋回軸を中心として旋回可能な蓋部分を備えており、蓋部分がシガレット包装箱若しくはシガリロボックスの蓋に適合されており、さらに蓋部分の開放旋回を助成するためのばね部材及び、蓋部分のための解除可能な係止部材を備えている形式のものにおいて、容器の蓋部分内側に少なくとも１つの連行部（１５，２０）を配置してあり、連行部が蓋部分（１４，１９）の開放に際してシガレット包装箱若しくはシガリロボックスの蓋を強制的に一緒に旋回させるようになっており、ばね部材（２３）が有利には運動を減速されていることを特徴とする、シガレット包装箱若しくはシガリロボックスのための容器。
【国際調査報告】
2005510224.tif 000007
2005510224.tif 000008
2005510224.tif 000009
2005510224.tif 000010
2005510224.tif 000011
2005510224.tif 000012